(57)【要約】【課題】大きな妨害信号のあるエリアでの受信条件、あるいは弱電界エリアでの受信性能が悪かった。【解決手段】中間周波フィルタ２５の出力に接続された第２のＡＧＣ検出器２８ａと、この第２のＡＧＣ検出器２８ａと高周波フィルタ１９の帯域制御用の入力１９ｂとの間に接続されるとともに高周波フィルタ１９の帯域幅を電圧制御するフィルタ制御器３２を設け、このフィルタ制御器３２で高周波フィルタ１９の帯域幅を可変する。これにより、課題を解決することができる。【選択図】図１
2006237793.tif 000002
【特許請求の範囲】
【請求項１】
高周波信号が入力されるアンテナ入力端子と、このアンテナ入力端子に入力された信号が供給される高周波増幅器と、この高周波増幅器の出力が接続された高周波フィルタと、この高周波フィルタの出力が接続された第１の混合器と、この第１の混合器の出力が供給される中間周波フィルタと、この中間周波フィルタの出力が供給される出力端子と、前記第１の混合器の出力が供給される第１のＡＧＣ検波器と、この第１のＡＧＣ検波器と前記高周波増幅器のＡＧＣ制御用の入力との間に接続された第１の利得制御器とを備え、前記高周波フィルタは、この高周波フィルタに設けられた帯域制御用の入力に加える電圧で通過帯域幅を可変制御可能の高周波フィルタを用いるとともに、前記中間周波フィルタの出力が供給される第２のＡＧＣ検波器と、この第２のＡＧＣ検波器と前記帯域制御用の入力との間に接続されたフィルタ制御器とを設け、前記第２のＡＧＣ検波器からの出力で前記高周波フィルタの通過帯域幅を制御する高周波信号受信部。
【請求項２】
第１の混合器をダイレクトコンバージョンとした請求項１に記載の高周波信号受信部。
【請求項３】
中間周波フィルタと出力端子との間には、第２の混合器が設けられた請求項１に記載の高周波信号受信部。
【請求項４】
第２の混合器をダイレクトコンバージョンとした請求項３に記載の高周波信号受信部。
【請求項５】
中間周波フィルタを多段の構成とし、第１のＡＧＣ検波器との接続は混合器側とするとともに、第２のＡＧＣ検波器との接続は出力端子側とした請求項１に記載の高周波信号受信部。
【請求項６】
フィルタ制御器の内部には、第１のＡＧＣ検波器からの検波電圧が一方の入力に供給されるとともに、他方の入力には基準電圧が入力されるフィルタ用比較器を設け、この基準電圧を制御することにより、出力端子から出力される希望信号の出力レベルを予め定められた値とする請求項１に記載の高周波信号受信部。
【請求項７】
フィルタ用比較器の他方に入力される基準電圧を、高周波信号受信部に設けられたデータ入力端子からの入力データにより設定可能とした請求項６に記載の高周波信号受信部。
【請求項８】
請求項１に記載の高周波信号受信部と、この高周波信号受信部からの出力信号を復調する復調回路部を有する高周波信号受信装置であって、第２のＡＧＣ検波器には、前記復調回路部側からの信号が入力される高周波信号受信装置。
【請求項９】
復調器から出力されるＢＥＲ（誤り訂正符号）、或いはＣ／Ｎが予め定められた値になるように、高周波フィルタの帯域幅を可変制御する請求項８に記載の高周波信号受信装置。
【発明の詳細な説明】
【技術分野】
【０００１】
本発明は、大きな妨害信号のあるエリアでの受信条件、あるいは弱電界エリアでの受信条件のそれぞれに対応して、良好な受信を可能とする高周波信号受信部とこれを用いた高周波信号受信装置に関するものである。
【背景技術】
【０００２】
以下、従来の高周波信号受信部とこれを用いた高周波信号受信装置について、説明する。従来の高周波信号受信装置は図５に示すように、高周波信号受信部１と、この高周波信号受信部１の出力に接続された復調回路部２とで構成されていた。
【０００３】
高周波信号受信部１は、以下に示すような構成となっていた。即ち、アンテナで受信された高周波信号は、入力端子３に入力される。この入力端子３に入力された高周波信号は入力フィルタを介して高周波増幅器４に入力され、この高周波増幅器４で増幅された後、高周波フィルタ５に入力される。この高周波フィルタ５の出力は、混合器６の一方の入力に供給されるとともに、この混合器６の他方の入力には発振器７の出力信号が入力され、混合器６からは選局された希望信号が出力される。この希望信号は中間周波フィルタ９を介して、出力端子１０から出力される。そして、この出力端子１０から出力された出力信号は、復調回路部２に供給される。
【０００４】
また、混合器６の出力信号は、ＡＧＣ検波器８ａを介して利得制御器８ｂに入力される。この利得制御器８ｂの出力は、高周波増幅器４の利得制御端子４ａに入力され、混合器６の出力レベルを一定値としていた。
【０００５】
なお、この出願の発明に関連する先行技術文献情報としては、例えば、特許文献１が知られている。
【特許文献１】特開２００２−３１６５７号公報
【発明の開示】
【発明が解決しようとする課題】
【０００６】
しかしながら、従来の高周波信号受信部とこれを用いた高周波信号受信装置では、入力端子３から希望信号に近接しかつ大きなレベルの妨害信号が入力すると、混合器６の出力ではこの大レベルの妨害信号に支配されることになる。従って、この妨害信号のレベルが一定値になるように、高周波増幅器４で利得制御が行われることになる。この結果、高周波増幅器４から出力される希望信号は、非常に小さなレベルとなり、雑音レベルとの差が小さくなって、正常な受信ができなくなるという問題があった。
【０００７】
そこで、本発明は、この問題を解決したもので、妨害信号排除能力の向上、弱電界における受信感度の向上のいずれかの選択を可能とする高周波信号受信部を提供することを目的としたものである。
【課題を解決するための手段】
【０００８】
この目的を達成するために、本発明の高周波信号受信部に用いる高周波フィルタは、この高周波フィルタに設けられた帯域制御用の入力に加える電圧で通過帯域幅を可変制御可能の高周波フィルタを用いるとともに、中間周波フィルタの出力が供給される第２のＡＧＣ検波器と、この第２のＡＧＣ検波器と前記帯域制御用の入力との間に接続されたフィルタ制御器とを設け、前記第２のＡＧＣ検波器からの出力で前記高周波フィルタの通過帯域幅を制御するものである。これにより、初期の目的を達成することが可能となる。
【発明の効果】
【０００９】
以上のように、本発明の高周波信号受信部に用いる高周波フィルタは、この高周波フィルタに設けられた帯域制御用の入力に加える電圧で通過帯域幅を可変制御可能の高周波フィルタを用いるとともに、中間周波フィルタの出力が供給される第２のＡＧＣ検波器と、この第２のＡＧＣ検波器と前記帯域制御用の入力との間に接続されたフィルタ制御器とを設け、前記第２のＡＧＣ検波器からの出力で前記高周波フィルタの通過帯域幅を制御するものであるので、高周波フィルタの通過帯域幅を狭くすることにより、妨害信号排除能力を向上させることができる。また、高周波フィルタの通過帯域幅を広くすることにより、弱電界における受信感度の向上を図ることができる。このように、高周波フィルタの通過帯域幅を可変することにより、妨害信号排除能力の向上、或いは弱電界における受信感度の向上のいずれかの選択が可能となる。
【００１０】
従って、大きな妨害信号のあるエリアでの受信条件、あるいは弱電界エリアでの受信条件のそれぞれに対応して、最適な受信性能を得ることができる。
【００１１】
また、第２のＡＧＣ検波器からの出力で高周波フィルタの通過帯域幅を直接制御することができるので、ＢＥＲ計算等をする以前に、最適な受信性能を短時間に設定することができる。
【発明を実施するための最良の形態】
【００１２】
（実施の形態１）
以下、本発明の実施形態１について図１から図３を用いて説明する。図１は、高周波信号受信装置のブロック図である。本実施の形態では高周波信号受信装置が受信する受信信号の一例として、テレビ用デジタル放送信号を受信する場合について説明している。
【００１３】
この高周波信号受信装置は、高周波信号受信部１１と復調回路部１２から構成されており、高周波信号受信部１１の出力は、復調回路部１２の入力に接続されている。
【００１４】
以下、高周波信号受信部１１の構成について、説明する。高周波信号受信部１１は、アンテナ１３が接続される入力端子１４と、出力端子１５と、ＰＬＬ選局用のデータ用入力端子１６の端子が設けられている。入力端子１４と出力端子１５の間には、入力端子１４側から出力端子１５側に向かって、入力フィルタ１７と、高周波増幅器１８と、高周波フィルタ１９と、混合器２０と、第１の中間周波数が通過する中間周波フィルタ２５と、増幅器２６と、中間周波信号が通過する中間周波フィルタ２７とがこの順に接続されている。
【００１５】
ここで、高周波フィルタ１９の出力は、混合器２０の一方の入力に接続されるとともに、この混合器２０の他方の入力には、発振器２１の出力が接続されている。
【００１６】
また、制御用データが入力されるデータ用入力端子１６は、ＰＬＬ回路２２の入力２２ａに接続されている。このＰＬＬ回路２２に設けられた出力２２ｂからは、制御電圧Ｃが出力される。この制御電圧Ｃは、高周波フィルタ１９と発振器２１のそれぞれ同調制御用の入力１９ａ，２１ａに接続されて、それぞれの同調周波数を制御する。
【００１７】
さらに、混合器２０の出力は、第１のＡＧＣ検波器２３ａを介して第１の利得制御器２３ｂに接続され、この第１の利得制御器２３ｂの出力は高周波増幅器１８のＡＧＣ制御用の入力１８ａに接続されている。
【００１８】
また、増幅器２６の出力は、第２のＡＧＣ検波器２８ａに接続されている。この第２のＡＧＣ検波器２８ａの出力は、第２の利得制御器２８ｂを介して増幅器２６のＡＧＣ制御用の入力２６ａに接続されている。また、この第２の利得制御器２８ｂの出力は、フィルタ制御器３２の入力３２ａにも接続されている。
【００１９】
また、フィルタ制御器３２は、比較器３４と基準電圧３５とから構成されている。この比較器３４の一方の入力３４ａは、フィルタ制御器３２の入力３２ａを介して、第２のＡＧＣ検波器２８ａの出力に接続されている。比較器３４の他方の入力３４ｂには、基準電圧３５が接続されている。
【００２０】
さらに、比較器３４の出力は、高周波フィルタ１９の帯域制御用の入力１９ｂに接続されている。また、ＰＬＬ回路２２の出力２２ｃは、基準電圧３５の入力３５ａに接続されている。
【００２１】
次に、復調回路部１２の構成について、説明する。高周波信号受信部１１の出力端子１５の出力は、復調回路部１２の入力端子４１に接続されている。この入力端子４１は、増幅器４２の入力に接続されている。この増幅器４２の出力は、Ａ／Ｄコンバータ４３の入力に接続されている。
【００２２】
このＡ／Ｄコンバータ４３の出力は、デジタルフィルタ４４に接続されている。このデジタルフィルタ４４の出力は、復調器４５の入力に接続されるとともに、第３のＡＧＣ検波器４７にも接続されている。さらに、この第３のＡＧＣ検波器４７の出力４７ａは、第３の利得制御器４８を介して増幅器４２のＡＧＣ制御用の入力４２ａに接続されている。また、復調器４５の出力は、出力端子４６に接続されている。
【００２３】
以上のように構成された高周波信号受信装置の高周波信号受信部１１の動作について、図１を用いて説明する。
【００２４】
アンテナ１３で受信されたテレビ用デジタル放送の信号は、入力端子１４を介して入力フィルタ１７に入力される。この入力フィルタ１７では、テレビ放送受信信号以外の不要な信号が抑圧されて、テレビ用の受信信号が選択される。この受信信号が、高周波増幅器１８により増幅された後、高周波フィルタ１９に入力される。この高周波フィルタ１９により例えば希望信号に近接した妨害信号が抑圧されたのち、混合器２０の一方の入力２０ａに供給され、他方の入力２０ｂにはＰＬＬ回路２２で制御された発振器２１からの出力信号が供給されている。
【００２５】
ここで、ＰＬＬ回路２２の入力２２ａには、データ用入力端子１６を介して制御用データが入力される。これにより、ＰＬＬ回路２２から出力される制御電圧Ｃにより発振器２１の発振周波数および高周波フィルタ１９の同調周波数が制御される。なお、発振器２１の発振周波数は、入力端子１４に入力される信号より高い周波数として以下説明する。
【００２６】
混合器２０からは、例えば８ＭＨｚの第１の中間周波数となる希望信号が出力される。この希望信号は、中間周波フィルタ２５に入力されることにより、希望信号以外の妨害信号が抑圧される。さらに、中間周波フィルタ２５の出力信号は、増幅器２６で増幅されたのち、中間周波フィルタ２７に入力される。この中間周波フィルタ２７によりさらに妨害信号が抑圧されたのち、希望信号が一定の出力レベルに利得制御されて出力端子１５から出力される。
【００２７】
以上のように入力端子１４に入力された受信信号は、第１の中間周波数として出力端子１５から出力される。さらに、混合器２０の出力は、第１のＡＧＣ検波器２３ａおよび第１の利得制御器２３ｂを介して、高周波増幅器１８のＡＧＣ制御用の入力１８ａに供給されている。これにより、混合器２０からの出力信号レベルが一定値になるように制御される。
【００２８】
なお、第１のＡＧＣ検波器２３ａへの入力は、中間周波フィルタ２５の出力から供給しても同様である。この場合、中間周波フィルタ２５の出力レベルが一定値になるように制御される。仮に妨害信号が存在する場合には、この妨害信号が中間周波フィルタ２５で抑圧された後の妨害信号レベルで制御されることになる。
【００２９】
また、増幅器２６の出力は、第２のＡＧＣ検波器２８ａおよび第２の利得制御器２８ｂを介して増幅器２６の利得制御用の入力２６ａに接続されている。これにより、増幅器２６から出力される信号レベルが一定値になるように制御している。
【００３０】
以上のように、高周波信号受信部１１の高周波増幅器１８と増幅器２６とによって、入力された高周波信号を利得制御し、出力端子１５からは、一定の出力信号レベルを出力するものである。なお、入力端子１４には、弱電界（−１１０ｄＢｍ）から強電界（−１０ｄＢｍ）の受信信号が供給される。この場合の高周波増幅器１８と増幅器２６の具体的な利得制御について以下説明する。
【００３１】
例えば、弱電界（−１１０ｄＢｍ）から中電界（−７０ｄＢｍ）の受信信号レベルが入力端子１４に供給された場合には、増幅器２６が利得制御の動作を行う。さらに、中電界（−７０ｄＢｍ）から強電界（−１０ｄＢｍ）の受信信号レベルが入力端子１４に供給された場合には、高周波増幅器１８が利得制御の動作を行う。
【００３２】
このように弱電界では、高周波増幅器１８が最大利得になるので、出力端子１５に近い後段には、増幅された大きな受信信号が入力されるため歪みやすくなる。このため、後段にある増幅器２６において利得制御を行う。
【００３３】
また、強電界においては、前段にある高周波増幅器１８と後段にある増幅器２６で共に利得制御を行う。
【００３４】
以上のように、高周波増幅器１８、増幅器２６において、利得制御が行われる。これにより、出力端子１５からは、雑音レベルが少なく歪みの少ない信号が一定値となって出力される。
【００３５】
次に、希望信号が大きく、妨害信号が小さい受信信号が入力された場合のフィルタ制御器３２の動作を、以下説明する。このように妨害信号が小さい場合には、第２のＡＧＣ検波器２８ａからは、第２のＡＧＣ検波器２８ａに入力される希望信号のレベルに応じた検波電圧Ａが出力される。
【００３６】
また、基準電圧３５からの出力を基準電圧Ｂとする。この基準電圧Ｂは、検波電圧Ａよりも大きいものとし、以下説明する。
【００３７】
これら２つの電圧が比較器３４に入力されることにより、差の電圧（Ｂ−Ａ）が出力されることになる。この検波電圧Ａが比較器３４の入力３４ａに入力されることにより、差の電圧（Ｂ−Ａ）が出力されることになる。この場合には、検波電圧Ａが小さいので、差の電圧（Ｂ−Ａ）は大きくなる。この電圧を用いることによって、高周波フィルタ１９の帯域幅を狭帯域として制御できる。
【００３８】
次に、希望信号が小さく、妨害信号が大きい受信信号が入力された場合のフィルタ制御器３２の動作を、以下説明する。
【００３９】
この場合には、大きな妨害信号によって、高周波増幅器１８が利得制御されるので、混合器２０から出力される希望信号は小さいレベルとなる。この小さい希望信号が第２のＡＧＣ検波器２８ａに入力されることになるので、第２のＡＧＣ検波器２８ａからの検波電圧Ａは小さくなってしまう。
【００４０】
この検波電圧Ａが比較器３４の入力３４ａに入力されることにより、差の電圧（Ｂ−Ａ）が出力されることになる。この場合には、検波電圧Ａが小さいので、差の電圧（Ｂ−Ａ）は大きくなる。この電圧を用いることによって、高周波フィルタ１９の帯域幅を狭帯域として制御できる。
【００４１】
なお、第２のＡＧＣ検波器２８ａへの入力は、中間周波フィルタ２７の出力から供給しても同様である。この場合、中間周波フィルタ２７の出力レベルが一定値になるように増幅器２６が利得制御される。仮に妨害信号が存在する場合には、中間周波フィルタ２７で抑圧された後の妨害信号レベルによって利得制御されることになる。
【００４２】
この比較器３４の一方の入力３４ａへの入力は、第２のＡＧＣ検波器２８ａの代わりに中間周波フィルタ２５、増幅器２６、あるいは中間周波フィルタ２７の出力に第４のＡＧＣ検波器（図示せず）を接続して供給してもよい。これにより、中間周波フィルタ２５，２７により妨害信号がさらに抑圧される。従って、中間周波フィルタ２７の出力からの信号を第４のＡＧＣ検波器を介して比較器３４の一方の入力３４ａに入力することにより、妨害信号の影響がより少なくなるので、フィルタ制御器３２による高周波フィルタ１９の帯域制御を精度よく行うことができる。
【００４３】
なお、基準電圧３５は、データ用入力端子１６から入力される制御用データによりＰＬＬ回路２２を介して設定する。これにより、高周波フィルタ１９の帯域幅を外部から任意の値に決めることができるので、妨害信号を抑圧するための帯域幅の制御を最適に設定することが容易にできる。
【００４４】
次に、高周波信号受信装置の復調回路部１２の動作について、図１を用いて説明する。高周波信号受信部１１の出力端子１５から出力された信号は、復調回路部１２の入力端子４１に入力され、この入力端子４１に入力された信号は増幅器４２により増幅されたのち、アナログ信号をデジタル信号に変換するＡ／Ｄコンバータ４３に入力される。このＡ／Ｄコンバータ４３から出力されるデジタル信号は、デジタルフィルタ４４により妨害信号が除去される。この妨害信号が除去された希望信号は、復調器４５に入力されることにより復調され、その復調信号が出力端子４６から出力される。
【００４５】
また、デジタルフィルタ４４の出力は、第３のＡＧＣ検波器４７および第３の利得制御器４８を介して増幅器４２の利得制御用の入力４２ａに入力されることによって、デジタルフィルタ４４の出力レベルを一定値とすることができるので、Ａ／Ｄコンバータ４３への入力を一定にすることができる。従って、Ａ／Ｄコンバータ４３による正確なデジタル変換ができる。
【００４６】
ここで、Ａ／Ｄコンバータ４３および復調器４５への入力信号レベルを最適な値にすることが重要である。すなわち、Ａ／Ｄコンバータ４３および復調器４５への入力信号が大きい場合は歪が発生し、小さい場合は、雑音レベルが大きくなるためにＣ／Ｎが低下する。
【００４７】
これらＡ／Ｄコンバータ４３、復調器４５への希望信号レベルは、前段の高周波増幅器１８、増幅器２６、増幅器４２によって利得制御されるので、大きい信号が入力されることはない。
【００４８】
ところが、Ａ／Ｄコンバータ４３、復調器４５への希望信号レベルが、小さい場合にはＣ／Ｎが低下する。すなわち、妨害信号が、希望信号に対して例えば３０ｄＢ以上と大きい場合には、この妨害信号によって高周波増幅器１８の利得制御が決定されてしまう。同時に、希望信号は、妨害信号と同じ利得制御量だけ利得制御されるので、出力端子１５から出力される希望信号は、小さくなりＣ／Ｎも低下する。従って、良好な受信状態とならない。
【００４９】
この妨害信号による影響を防止するために、高周波フィルタ１９での帯域幅の抑圧を大きくすることが重要である。ところが、抑圧量を大きくすることによって、高周波フィルタ１９の挿入損失が大きくなり、弱電界における受信感度が低下することになる。
【００５０】
以下に、入力端子１４に高周波信号が入力された場合の高周波増幅器１８、増幅器２６におけるそれぞれの利得制御の動作について説明する。先ず、高周波フィルタ１９の帯域幅を従来と同様に一定値とした場合について図１、図２を用いて説明する。すなわち、この場合は従来例である高周波フィルタ５を用いた場合と同じになる。
【００５１】
図２（ａ）から（ｄ）は、本発明の高周波信号受信部１１の各ポイントにおける信号レベル図である。横軸６１は、周波数であり、縦軸６２は、信号レベルを表している。
【００５２】
図２（ａ）は、入力端子１４における信号レベル図である。入力端子１４において、妨害信号７４が、希望信号７３よりレベルが大きい状態を表している。この妨害信号７４は、例えば入力信号レベル−２５ｄＢｍとしている。また、希望信号７３は、例えば−５５ｄＢｍとしている。すなわち、妨害信号７４が、希望信号７３に対して３０ｄＢ大きい状態を表している。
【００５３】
図２（ｂ）は、高周波増幅器１８の出力信号図である。この高周波増幅器１８では、混合器２０からの出力信号をあらかじめ設定した一定レベルになるように利得制御が行われる。このように、混合器２０からの出力信号が利得制御される結果として、高周波増幅器１８の出力が、一定レベル６２ａになるように利得制御されることになる。
【００５４】
従って、高周波増幅器１８の出力では、希望信号７３より大きな妨害信号７４が一定のレベル６２ａになるように利得制御されて、妨害信号７４ａとなる。また、希望信号７３も、妨害信号７４ａと同じ量だけ利得制御されて希望信号７３ａとなる。なお、レベル差７７ａは、妨害信号７４ａと希望信号７３ａのレベル差を表している。
【００５５】
また、雑音レベル７５ａは、高周波増幅器１８の雑音レベルである。このように、高周波増幅器１８では大きな妨害信号７４によって大きく利得制御されているため、希望信号７３ａに比べて雑音レベル７５ａは、大きくなってしまう。
【００５６】
すなわち、高周波増幅器１８では、大きな信号である妨害信号７４に基づいて利得制御の動作が行われるので、高周波増幅器１８から出力される希望信号７３ａと雑音レベル７５ａとのレベル差７６ａは、小さくなってＣ／Ｎが劣化することになる。
【００５７】
図２（ｃ）は、混合器２０の出力信号図である。このとき、発振器２１の発振周波数は、入力端子１４に入力される信号より高い周波数としているので、妨害信号７４ｂは、希望信号７３ｂに対して低い周波数となる。
【００５８】
図２（ｃ）において、妨害信号７４ｂは、高周波増幅器１８の利得制御によって一定レベル６２ｂに制御されている。このとき、混合器２０の一方の入力に供給される妨害信号７４ａは、高周波フィルタ１９により抑圧されている。この妨害信号７４ｂの抑圧された分だけ希望信号７３ｂは、妨害信号７４ｂのレベルに近づく。
【００５９】
ところが、高周波フィルタ１９の帯域幅を固定としているので、妨害信号７４ｂの抑圧が十分でない。このため、妨害信号７４ｂと希望信号７３ｂのレベル差７７ｂは、レベル差７７ａより小さくできるが、この高周波フィルタ１９による妨害信号７４ｂの抑圧は十分ではない。
【００６０】
また、雑音レベル７５ｂは、高周波増幅器１８の雑音レベル７５ａに混合器２０の雑音レベルを加えた分である。このとき、高周波増幅器１８は、大きな妨害信号７４によって利得制御されているので、後段である混合器２０の雑音レベルの影響が大きくなり、雑音レベル７５ｂは、希望信号７３ｂに近接したレベルとなる。
【００６１】
従って、希望信号７３ｂと雑音レベル７５ｂとのレベル差７６ｂは小さくなり、結果として混合器２０から出力される希望信号７３ｂのＣ／Ｎが劣化することになる。
【００６２】
図２（ｄ）は、出力端子１５から出力される信号の出力信号図である。図２（ｄ）において、希望信号７３ｃのレベルは、一定レベル６２ｃに達していない。この理由を以下説明する。
【００６３】
すなわち、混合器２０から出力される妨害信号７４ｂおよび希望信号７３ｂは、中間周波フィルタ２５，２７に入力される。これにより、妨害信号７４ｂは、抑圧されて妨害信号７４ｃとなる。一方、希望信号７３ｃは、増幅器２６へ入力される希望信号７３ｂが一定レベル６２ｃに対して小さすぎるため、増幅器２６によって一定レベル６２ｃまで増幅することができない。
【００６４】
一方、雑音レベル７５ｃは、混合器２０から出力される雑音レベル７５ｂにさらに増幅器２６の雑音レベルが加算されたレベルとなる。すなわち、高周波増幅器１８、混合器２０および増幅器２６の雑音レベルが加算されたものとなる。
【００６５】
以上のように、妨害信号７４が希望信号７３より大きい場合には、出力端子１５から出力される希望信号７３ｃは、所要値である一定レベル６２ｃに対して十分な大きさでない。さらに、希望信号７３ｃと雑音レベル７５ｃとのレベル差７６ｃは小さくなる。この結果、出力端子１５から出力される希望信号７３ｃのレベルが小さく、出力のＣ／Ｎが劣化してしまうことになる。
【００６６】
次に、本実施の形態の特徴である高周波フィルタ１９の帯域幅を可変することにより妨害信号を抑圧する動作について図１、図３を用いて説明する。
【００６７】
図３（ａ）から（ｄ）は、高周波信号受信部１１の各ポイントにおける信号レベル図である。なお図２と同じものについては同一の番号を付して説明を簡略化している。
【００６８】
図３（ａ）は、入力端子１４における信号レベル図である。入力端子１４において、妨害信号７４が、希望信号７３よりレベルが大きい状態を表し、これは図２（ａ）と同じ入力信号レベルである。
【００６９】
図３（ｂ）は、高周波増幅器１８の出力信号図である。この高周波増幅器１８では、混合器２０から出力される妨害信号は、あらかじめ設定した一定レベル６２ａになるように、利得制御される。
【００７０】
ところが、高周波増幅器１８から出力される妨害信号８４ａは、帯域幅を可変できる高周波フィルタ１９により最適に抑圧されたのち、混合器２０に入力されている。すなわち、混合器２０の入力には、高周波フィルタ１９により最抑圧された小さな妨害信号が供給されることになる。従って、混合器２０の出力からは、この小さな妨害信号が出力されることになるので、高周波増幅器１８では利得を上げるように作用することになる。
【００７１】
一方、希望信号８３ａは、妨害信号８４ａと同じ量だけ利得制御されるので、希望信号８３ａは、希望信号７３ａより大きくできる。なお、レベル差８８ａは、妨害信号８４ａと希望信号８３ａのレベル差を表している。すなわち、このレベル差８８ａは、従来例であるレベル差７７ａに対して、妨害信号７４を高周波フィルタ１９により最適に抑圧した値だけ、小さくできる。
【００７２】
また、雑音レベル８５ａは、高周波増幅器１８の雑音指数によって発生している。ところが、妨害信号７４は、帯域幅を可変できる高周波フィルタ１９により最適に抑圧されているので、高周波増幅器１８の利得制御量が小さくなる。この結果、高周波増幅器１８からの雑音レベル８５ａは、雑音レベル７５ａに比べて小さくできる。
【００７３】
従って、高周波増幅器１８から出力される希望信号８３ａと雑音レベル８５ａとのレベル差８６ａは、従来例でのレベル差７６ａより大きくなり改善されることになる。
【００７４】
図３（ｃ）は、混合器２０の出力信号図である。図３（ｃ）において、発振器２１の発振周波数は、希望信号８３ａおよび妨害信号８４ｂより高くしているので、妨害信号８４ｂと希望信号８３ｂの関係は入れ替わる。妨害信号８４ｂは、高周波増幅器１８の利得制御によって一定レベル６２ｂに制御されている。このとき、混合器２０の一方の入力に供給される妨害信号８４ａは、高周波フィルタ１９により抑圧されている。この妨害信号の抑圧された分だけ希望信号８３ｂは、妨害信号８４ｂのレベルに近づく。
【００７５】
このように、高周波フィルタ１９の帯域幅を可変とし最適に抑圧できるので、妨害信号８４ｂを最適に抑圧できる。このため、妨害信号８４ｂと希望信号８３ｂのレベル差８８ｂは、帯域幅を固定とした高周波フィルタ１９でのレベル差７７ｂより小さくできる。これにより、妨害信号８４ｂを抑圧した分だけ混合器２０から出力される希望信号８３ｂを大きくできることになる。
【００７６】
また、雑音レベル８５ｂは、高周波増幅器１８による雑音レベル８５ａに混合器２０の雑音レベルを加えた分である。このとき、高周波増幅器１８では、高周波フィルタ１９によって最適に抑圧された妨害信号によって利得制御されている。このため、高周波増幅器１８における利得制御量は、妨害信号７４を高周波フィルタ１９で抑圧した分だけ小さくできるので、雑音レベル８５ｂを小さくできる。
【００７７】
従って、希望信号８３ｂと雑音レベル８５ｂとのレベル差８６ｂを大きくできるので、結果として混合器２０から出力される希望信号８３ｂのＣ／Ｎが改善できる。
【００７８】
図３（ｄ）は、出力端子１５の出力信号図である。図３（ｄ）において、希望信号８３ｃについて以下説明する。すなわち、混合器２０から出力される妨害信号８４ｂおよび希望信号８３ｂは、中間周波フィルタ２５，２７に入力される。これにより、妨害信号８４ｂは、抑圧されて妨害信号８４ｃとなる。一方、希望信号８３ｂは、帯域幅を可変できる高周波フィルタ１９によって妨害信号７４を抑圧しているので、希望信号８３ｂは希望信号７３ｂより大きくできる。これにより、希望信号８３ｃは、一定レベル６２ｃに対して近いレベルあるいは同一のレベルとできる。
【００７９】
さらに、雑音レベル８５ｃは、混合器２０から出力される雑音レベル８５ｂに増幅器２６の雑音レベルが加算されたレベルである。すなわち、高周波増幅器１８、混合器２０および増幅器２６の雑音レベルが加算されたものである。
【００８０】
以上のように、妨害信号７４が希望信号７３より大きい場合であっても、帯域幅を可変できる高周波フィルタ１９により希望信号７３ｃと妨害信号７４を最適に制御できるので、出力端子１５から出力される希望信号８３ｃは、一定レベル６２ｃに対して近いレベルあるいは同一のレベルとできる。
【００８１】
以上のように、希望信号８３ｃと雑音レベル８５ｃとのレベル差８６ｃを改善することができる。この結果、出力端子１５からの希望信号レベルを所定レベル６２ｃまで大きくできるとともにＣ／Ｎを改善できる。
【００８２】
なお、比較器３４の一方の入力３４ａに対して、第２のＡＧＣ検波器２８ａの出力を入力するのでなく、さらに後段にある例えば中間周波フィルタ２７の出力に別のＡＧＣ検波器を設けて、このＡＧＣ検波器を介して入力してもよい。この場合には、さらに後段にある例えば中間周波フィルタ２７によって妨害信号８４ｃがさらに抑圧される。従って、妨害信号７４の影響をより少なくできるので、フィルタ制御器３２による高周波フィルタ１９の帯域制御を精度よく行うことができる。
【００８３】
また、以上の動作では、高周波信号をＡＧＣ検波した電圧を、基準電圧と比較をした電圧により、高周波フィルタ１９の帯域幅を制御するので、短時間に確実に動作を完了することができる。このＡＧＣ検波とは、高周波信号を例えば包絡線検波してピーク値を検出し、さらに平均値化することにより、高周波信号のレベルを電圧に変換するものである。
【００８４】
また、フィルタ制御器３２により高周波フィルタ１９の帯域幅を制御する場合に、復調器４５内のＢＥＲ（誤り訂正率）あるいはＣ／Ｎ検出の値を利用して実施することができる。すなわち、高周波フィルタ１９の帯域幅を制御する場合において、復調器４５のＢＥＲが、例えば検知限に相当する値となったときには、高周波フィルタ１９の帯域制御用の入力１９ｂへの電圧をＰＬＬ回路２２により一定の値に保持させる。
【００８５】
さらに、復調器４５のＢＥＲが、例えば検知限に相当する値以上となったときには、ＰＬＬ回路２２による保持を解除して、フィルタ制御器３２による高周波フィルタ１９の帯域幅の制御を行う。
【００８６】
これにより、復調器４５のＢＥＲあるいはＣ／Ｎ検出の値を用いるので、より精度良く受信状態を良好にできる。
【００８７】
さらに、入力フィルタ１７に本発明の高周波フィルタ１９を用いてフィルタ制御器３２により制御しても良い。この場合には、妨害信号７４による高周波増幅器１８の歪が軽減できるので、高周波増幅器１８の電流を小さくすることができる。
【００８８】
さらにまた、携帯電話等に内蔵された場合においては、高周波増幅器１８における歪が課題となるが、高周波フィルタ１９の帯域幅を小さくすることにより、携帯電話の送信信号による妨害を受け難くすることができる。
【００８９】
以上のように、ＡＧＣ検波器２８ａとフィルタ制御器３２を用いることにより、高周波フィルタ１９の帯域幅を最適に制御できるので、大きな妨害信号７４のあるエリアでの受信条件、あるいは弱電界エリアでの受信条件のそれぞれに対応して、最適な受信性能を短時間に設定できる。
【００９０】
（実施の形態２）
以下、本発明の実施形態２について図４を用いて説明する。図４は、本発明の実施の形態２における高周波信号受信装置のブロック図である。
【００９１】
実施の形態１では、比較器３４の一方の入力３４ａへの入力には、第２のＡＧＣ検波器２８ａの出力を接続している。これに対して、実施の形態２では、比較器３４の一方の入力３４ａへの入力は、復調回路部６４内に設けられた第３のＡＧＣ検波器４７の出力４７ａを接続している。この点で、実施の形態１と２とは異なる。
【００９２】
なお、図４で使用した部品について、図１と同じものについては同一の番号を付して説明を簡略化している。
【００９３】
実施の形態２における、高周波信号受信装置は、図４に示すように高周波信号受信部６３と復調回路部６４とからなっている。復調回路部６４の第３のＡＧＣ検波器４７の出力４７ａは、高周波信号受信部６３のＡＧＣ検波用の入力端子４９を介して比較器３４の一方の入力３４ａに接続されている。
【００９４】
なお、実施の形態１における第２のＡＧＣ検波器２８ａの出力と比較器３４の一方の入力３４ａへの接続はしていない。
【００９５】
以上の構成とすることによって、比較器３４の一方の入力３４ａには、第３のＡＧＣ検波器４７の出力４７ａが入力される。つまり、第２のＡＧＣ検波器２８ａより後段にある中間周波フィルタ２７あるいはデジタルフィルタ４４によって妨害信号７４がさらに抑圧される。これにより、妨害信号７４の影響を十分に少なくすることができるので、フィルタ制御器３２による高周波フィルタ１９の帯域制御をより精度よく行うことができる。
【００９６】
従って、ＡＧＣ検波器４７とフィルタ制御器３２により、高周波フィルタ１９の帯域幅を最適に制御できるので、さらに大きな妨害信号のあるエリアでの受信条件、あるいは弱電界エリアでの受信条件のそれぞれに対応して、最適な受信性能を短時間に設定できる。
【００９７】
また、実施の形態１と比較して、妨害信号７４が十分に抑圧された希望信号をフィルタ制御器３２の一方の入力に供給できるので、フィルタ制御器３２による高周波フィルタ１９の帯域制御をより精度よく行うことが可能となる。
【００９８】
（実施の形態３）
実施の形態３は、実施の形態１における第１の混合器２０をダイレクトコンバージョン（図示せず）としたものである。すなわち、混合器２０としてＩ用混合器２０ｃと、Ｑ用混合器２０ｄを２個設ける。それぞれＩ，Ｑ用混合器２０ｃ，２０ｄの一方の入力には受信信号を入力する。そして、Ｉ，Ｑ用混合器２０ｃ，２０ｄの他方の入力には、受信信号と同じ周波数とした発振器２１の出力信号を入力するとともに、発振器２１とＱ用混合器２０ｄの他方の入力との間にπ／２移相器を接続する。
【００９９】
その上で、Ｉ，Ｑ用混合器２０ｃ，２０ｄから出力されるそれぞれＩ，Ｑ信号は、中間周波フィルタ２５の代わりに接続されたそれぞれローパスフィルタを介して、それぞれの増幅器２６ｃ，２６ｄに入力する。さらに、これら増幅器２６ｃ，２６ｄの出力は、それぞれに接続された第２のＡＧＣ検波器および第２の利得制御器により利得制御されている。そして、これら増幅器２６ｃ，２６ｄの出力であるＩ，Ｑ信号は、それぞれＩ，Ｑ用出力端子から出力される。
【０１００】
これらＩ，Ｑ用出力端子から出力されたＩ，Ｑ信号は、それぞれに接続された復調回路部に入力されてのち、復調されることになる。
【０１０１】
以上のように、第１の混合器２０をダイレクトコンバージョンとして構成した場合においても、Ｉ用またはＱ用に設けられた第２のＡＧＣ検波器の出力を比較器３４の一方の入力３４ａに入力することにより、高周波フィルタ１９の帯域幅を最適に制御できる。従って、大きな妨害信号のあるエリアでの受信条件、あるいは弱電界エリアでの受信条件のそれぞれに対応して、最適な受信性能を短時間に設定できる。
【産業上の利用可能性】
【０１０２】
本発明にかかわる高周波信号受信部とこれを用いた高周波信号受信装置によれば、高周波信号受信部における妨害信号排除能力と弱電界での受信感度の両特性を改善できるという効果を有し、特に大きな妨害信号を有する地域で使用する高周波信号受信装置に用いる場合において有用となる。
【図面の簡単な説明】
【０１０３】
【図１】本発明の実施の形態１における高周波信号受信装置のブロック図
【図２】（ａ）は、高周波フィルタの帯域幅を一定にした場合の入力端子における信号レベル図、（ｂ）は同、高周波増幅器の出力における信号レベル図、（ｃ）は同、混合器の出力における信号レベル図、（ｄ）は同、出力端子における信号レベル図
【図３】（ａ）は、高周波フィルタの帯域幅を可変にした場合の入力端子における信号レベル図、（ｂ）は同、高周波増幅器の出力における信号レベル図、（ｃ）は同、混合器の出力における信号レベル図、（ｄ）は同、出力端子における信号レベル図
【図４】本発明の実施の形態２における高周波信号受信装置のブロック図
【図５】従来例における高周波信号受信装置のブロック図
【符号の説明】
【０１０４】
１４  アンテナ入力端子
１５  出力端子
１８  高周波増幅器
１８ａ  ＡＧＣ制御用の入力
１９  高周波フィルタ
１９ｂ  帯域制御用の入力
２０  第１の混合器
２３ａ  第１のＡＧＣ検波器
２３ｂ  第１の利得制御器
２５  中間周波フィルタ
２８ａ  第２のＡＧＣ検波器
３２  フィルタ制御器
【図１】
2006237793.tif 000003
【図２】
2006237793.tif 000004
【図３】
2006237793.tif 000005
【図４】
2006237793.tif 000006
【図５】
2006237793.tif 000007